(57)【要約】【課題】未加硫ゴム帯状材と帯状のライナーとを積層してロール状に巻き取る際に、コストを増加させることなくライナーのシワを除去することができる未加硫ゴム帯状材の巻取装置を提供する。【解決手段】ライナー２を未加硫ゴム帯状材１に積層する前に、ライナー２の供給経路８に、ライナー２の移動方向と交差する方向に凸状の湾曲面を接圧させる矯正ロール９を設置する。【選択図】図１
2009173352.tif 000002
【特許請求の範囲】
【請求項１】
未加硫ゴム帯状材と帯状のライナーとを連続供給しながら積層した後、ロール状に巻き取る未加硫ゴム帯状材の巻取装置において、
前記ライナーを前記未加硫ゴム帯状材に積層する前の供給経路に、該ライナーに対して移動方向と交差する方向に凸状の湾曲面を接圧させる矯正ロールを設置した未加硫ゴム帯状材の巻取装置。
【請求項２】
前記ライナーが織物製である請求項１に記載の未加硫ゴム帯状材の巻取装置。
【請求項３】
前記矯正ロールが、回転軸の軸方向に平行な複数本の湾曲バーを該回転軸の周方向に間欠的に配列した構成からなる請求項１又は２に記載の未加硫ゴム帯状材の巻取装置。
【請求項４】
前記湾曲バーの本数が、３〜１２本である請求項３に記載の未加硫ゴム帯状材の巻取装置。
【請求項５】
前記矯正ロールが、前記凸状の湾曲面を周方向に連続させた回転楕円体からなる請求項１又は２に記載の未加硫ゴム帯状材の巻取装置。
【請求項６】
前記矯正ロールのライナー移動方向の上流側及び／又は下流側に、凸状の湾曲面を接圧させる固定ガイドを設置した請求項１〜５のいずれかに記載の未加硫ゴム帯状材の巻取装置。
【請求項７】
前記未加硫ゴム帯状材がタイヤの構成部材である請求項１〜６のいずれかに記載の未加硫ゴム帯状材の巻取装置。
【発明の詳細な説明】
【技術分野】
【０００１】
本発明は未加硫ゴム帯状材の巻取装置に関し、更に詳しくは、トレッド部やサイド部などのタイヤ構成部材の原材料として用いられる未加硫ゴム帯状材を、剥離用のライナーに積層してロール状に巻き取る未加硫ゴム帯状材の巻取装置に関する。
【背景技術】
【０００２】
従来の未加硫タイヤの成形工程では、タイヤのトレッド部やサイド部などの構成部材の原材料として用いられる未加硫ゴム帯状材は、あらかじめタイヤ寸法の定尺材に切断された後、そのままタイヤ成形時まで平らな状態で置かれて台車等で保管されるようになっていた。しかし、未加硫ゴムは気温の影響などにより収縮する特性を有するため、保管中に定尺材の寸法が変化することによって、未加硫タイヤ成形後のユニフォーミティが悪化するという問題があった。
【０００３】
このような問題の対策として、未加硫ゴム帯状材を定尺材に切断することなく、離型性の織布からなる帯状のライナーを介在させてロール状に巻き取って保管しておき、未加硫タイヤの成形の直前に巻取ロールから未加硫ゴム帯状材をライナーと分離しながら巻き戻して、タイヤ寸法に定尺切断することが行われている。また、このとき分離したライナーはロール状に巻き取られ、再び次の新しい未加硫ゴム帯状材のロール状の巻き取りのため繰り返し使用されている。
【０００４】
しかし、織布などの薄いシートからなるライナーは可撓性を有しているため、ライナーを繰り返し使用すると、巻取ロールの保管中の撓みや未加硫ゴム帯状材の重量などにより、ライナーの幅方向中央が両端部よりも高い張力を受けて次第にシワが発生し、このシワが再使用時に未加硫ゴム帯状材に転写されたり、ライナーの幅方向の寸法が短くなって未加硫ゴム帯状材の幅方向端部がライナーの両外側にはみ出て半径方向に隣接するもの同士が粘着したりして、未加硫ゴム帯状材の品質を低下させるという問題があった。
【０００５】
このような問題を解決するため、特許文献１は、ライナーを厚肉で剛性を有する樹脂などからなる帯状のシート基部と、このシート基部の表面の幅方向両端部に長手方向に沿って桟部を設けた構造体を用いて、そのシート基部の表面に未加硫ゴム帯状材を載せてロール状に巻き取るようにしたものを提案している。
【０００６】
しかし、上記の構造体からなるライナーは、シート基部を厚肉で剛性を有する材料にする必要がある上に構造が複雑であるため、ライナー自体のコストが著しく過大にならざるを得ないという問題があった。
【特許文献１】特開平５−３０１３００号公報
【発明の開示】
【発明が解決しようとする課題】
【０００７】
本発明の目的は、従来の安価な可撓性のライナーを使用しながら、ライナーに発生したシワを除去することができるようにした未加硫ゴム帯状材の巻取装置を提供することにある。
【課題を解決するための手段】
【０００８】
上記の目的を達成する本発明の未加硫ゴム帯状材の巻取装置は、未加硫ゴム帯状材と帯状のライナーとを連続供給しながら積層した後、ロール状に巻き取る未加硫ゴム帯状材の巻取装置において、前記ライナーを前記未加硫ゴム帯状材に積層する前の供給経路に、該ライナーに対して移動方向と交差する方向に凸状の湾曲面を接圧させる矯正ロールを設置したことを特徴とするものである。
【０００９】
このライナーとしては、可撓性の織物製を問題なく使用することができる。
【００１０】
矯正ロールとしては、回転軸の軸方向に平行な複数本の湾曲バーを回転軸の周方向に間欠的に配列した構成にしたものがよい。その湾曲バーの本数としては、３〜１２本とすることが望ましい。
【００１１】
また、矯正ロールの構造は、凸状の湾曲面を周方向に連続させた回転楕円体として構成するようにしてもよい。
【００１２】
本発明の巻取装置には、上記の矯正ロールの他に、その矯正ロールのライナー移動方向の上流側及び／又は下流側に、凸状の湾曲面を接圧させる固定ガイドを設置するようにしてもよい。
【００１３】
本発明に適用する未加硫ゴム帯状材としては、特にタイヤの構成部材に適用する場合に優れた効果が得られる。
【発明の効果】
【００１４】
本発明の未加硫ゴム帯状材の巻取装置によれば、ライナーを未加硫ゴム帯状材に積層する前の供給経路に、そのライナーに対して移動方向と交差する方向に凸状の湾曲面を接圧させる矯正ロールを設置したので、湾曲面においてライナーには幅方向に押し広げられる張力が発生するので、供給前のライナーにシワが存在していても容易に除去して未加硫ゴム帯状材に積層させることができる。また、従来の可撓性ライナーをそのまま使用することができるため、コストの増加を伴うことがない。
【発明を実施するための最良の形態】
【００１５】
以下に、本発明の実施の形態について、図面を参照して説明する。
【００１６】
図１は、本発明の実施形態からなる未加硫ゴム帯状材の巻取装置を示す。
【００１７】
図１において符号１は、図示しない押出機により押出成形されながら供給される未加硫ゴム帯状材であり、符号２は未加硫ゴム帯状材１に離型用に積層される帯状のライナーである。符号３は未加硫ゴム帯状材１をライナー２に積層した後にロール状に巻き取る巻取ドラムであり、符号４は、そのライナー２を連続供給するライナー供給ドラムである。ライナー２は未加硫ゴム帯状材１に対して離型性を有する高密度の織布や薄肉の樹脂シートから形成されているが、コストや耐久性の点から織布製が望ましい。その織布の材料としては、ポリエステル、ポリプロピレン、６６ナイロン、６ナイロン又はＰＶＡなどの合成繊維が例示される。
【００１８】
このような巻取装置の未加硫ゴム帯状材１の供給部にはガイドローラ５が、ライナー供給ドラム４からのライナー２の供給部にはガイドローラ６が、それぞれ設置されると共に、未加硫ゴム帯状材１とライナー２とが合流する部分には積層用ローラ７が設置されている。更に、ライナー２が供給されるガイドローラ６と積層用ローラ７との間のライナー２の供給経路８には、ライナー２の移動方向に対して交差する方向に凸状の湾曲面を接圧させる矯正ロール９が設置されている。
【００１９】
この矯正ロール９は、図２に示すように、回転軸１０に対し、その軸方向に並行であって、かつ周方向に間欠的に配置された複数本の湾曲バー１１を固定するように構成されている。従って、湾曲バー１１がライナー２に接圧する矯正ロール９は、ライナー２の矢印方向への移動により、その摩擦力によって回転し、その回転に伴って湾曲バー１１がライナー２の表面に叩きつけられ、かつ図２（ａ）のように、ライナー２に断続的に幅方向へ押し広げる張力を与える。従って、ライナー２の表面の長尺方向に延びるシワ（以下、「縦シワ」という。）が効果的に除去される。更に、図２（ｂ）に示すように、隣接する湾曲バー１１間において、ライナー２に長尺方向に引っ張る張力も加わるため、ライナー２の幅方向に延びるシワ（以下、「横シワ」という。）も除去することができる。
【００２０】
湾曲バー１１の配置間隔は、回転軸８の周方向に等間隔に配置することが好ましく、これにより、ライナー２の縦シワと横シワとを長尺方向に均等に除去することができる。また、湾曲バー１１の本数としては、３〜１２本とするのがよい。３本未満であるとライナー２の長尺方向のシワの除去が均等でなくなり、１２本を超えると矯正ロール９の重量が増加して回転しにくくなる。
【００２１】
矯正ロール９の構造は、図２の態様に限定されるものではなく、図３に示すように、凸状の湾曲面を周方向に連続させた表面をもつ回転楕円体１２にすることもできる。
【００２２】
図４は、本発明の別の実施形態からなる未加硫ゴム帯状材の巻取装置を示す。
【００２３】
この巻取装置は、ライナー２の供給経路８に設けられた矯正ロール７の上流側に、凸状の湾曲面を接圧させる固定ガイド１３を設置したものである。固定ガイド１３は、例えば図５に示すように、台座１４の上に湾曲バー１５を立設することで構成することができる。この固定ガイド１３は、矯正ロール９の下流側へ設置するようにしてもよく、また矯正ロール９の上流側及び下流側の両方に設けてもよい。
【００２４】
このように、凸状の湾曲面を有する固定ガイド１３を、ライナー２の供給経路８における矯正ロール９の上流側及び／又は下流側に設置することにより、ライナー２は固定ガイド１３の湾曲面で幅方向に押し広げられて縦シワが除去されるため、矯正ロール９との相乗効果により、ライナー２の縦シワを更に効果的に除去することができる。
【００２５】
本発明において、巻取装置に適用する未加硫ゴム帯状材としては、その用途は限定されるものではないが、特にタイヤのトレッド部やサイド部などに使用されるタイヤ構成部材に対して好ましく用いられる。
【図面の簡単な説明】
【００２６】
【図１】本発明の実施形態からなる未加硫ゴム帯状材の巻取装置の例である。
【図２】矯正ロールの構造であって、（ａ）は側方からの断面図を、（ｂ）は（ａ）におけるＡ−Ａ矢視の断面図を、それぞれ示す。
【図３】矯正ロールの構造の別の例であって、（ａ）は側方からの断面図を、（ｂ）は（ａ）におけるＢ−Ｂ矢視の断面図を、それぞれ示す。
【図４】本発明の別の実施形態からなる未加硫ゴム帯状材の巻取装置の例である。
【図５】固定ガイドの構造であって、（ａ）は側方からの断面図を、（ｂ）は（ａ）におけるＣ−Ｃ矢視の断面図を、それぞれ示す。
【符号の説明】
【００２７】
１  未加硫ゴム帯状材
２  ライナー
３  巻取ドラム
４  ライナー供給ドラム
５  （未加硫ゴム帯状材の供給部の）ガイドローラ
６  （ライナーの供給部の）ガイドローラ
７  積層用ローラ
８  供給経路
９  矯正ロール
１０  回転軸
１１  （矯正ロールの）湾曲バー
１２  回転楕円体
１３  固定ガイド
１４  台座
１５  （固定ガイドの）湾曲バー
【図１】
2009173352.tif 000003
【図２】
2009173352.tif 000004
【図３】
2009173352.tif 000005
【図４】
2009173352.tif 000006
【図５】
2009173352.tif 000007